(57)【特許請求の範囲】
【請求項１】
電気自動車に搭載したバッテリーの空調装置であって、電気自動車のフロア下部に設けたバッテリーの収納体に、外気に対して開閉される吸気用バルブと排気用バルブを備えると共に、収納体の内部に、各バルブの開放に伴う排気用バルブからの排気および各バルブの閉塞に伴う収納体内の空気の循環を行うファンと、排気用バルブとファンの間からバッテリーの収納空間に連通する戻り流路を備えたことを特徴とするバッテリーの空調装置。
【請求項２】
収納体の前部に吸気用バルブを設けると共に、収納体の後部に排気用バルブを設け、収納体の後部内側に、排気用バルブ側に送風を行うファンを備えたことを特徴とする請求項１に記載のバッテリーの空調装置。
【請求項３】
バッテリーに温度センサを備えると共に、温度センサの検出信号に応じて各バルブの駆動部およびファンの駆動部に駆動信号を出力する空調制御手段を備えたことを特徴とする請求項１または２に記載のバッテリーの空調装置。
【請求項４】
空調制御手段が、外部スイッチからの入力信号により各バルブを閉塞する機能を有する手段であることを特徴とする請求項３に記載のバッテリーの空調装置。
【請求項５】
外部スイッチが、車体外側において水を検出する水センサであることを特徴とする請求項４に記載のバッテリーの空調装置。
【請求項６】
外部スイッチが、電気自動車に装備されたワイパスイッチであることを特徴とする請求項４に記載のバッテリーの空調装置。
【請求項７】
外部スイッチが、手動スイッチであることを特徴とする請求項４に記載のバッテリーの空調装置。
【請求項８】
空調制御手段が、外部スイッチから信号が入力されている状態において、温度センサの検出信号に応じて電気自動車のモータ駆動制御装置に対して出力制限指令を出力する機能を有する手段であることを特徴とする請求項４に記載のバッテリーの空調装置。
【請求項９】
電気自動車に搭載したバッテリーの空調装置であって、電気自動車のフロア下部に設けたバッテリーの収納体に、外気に対して開閉される吸気用バルブと排気用バルブを備えると共に、収納体の内部に、排気用バルブの開放に伴って排気用バルブからの排気を行うファンと、外部スイッチからの入力信号により各バルブを閉塞する機能を有する空調制御手段を備えたことを特徴とするバッテリーの空調装置。
【発明の詳細な説明】
【０００１】
【発明の属する技術分野】
本発明は、電気自動車に搭載されたバッテリーの冷却に用いられるバッテリーの空調装置に関するものである。
【０００２】
【従来の技術】
図３に一部を示す電気自動車ＥＶは、フロアＦの下部にバッテリーの収納体１０１を備えており、この収納体１０１内に複数（例えば乗用車タイプで９６個）のバッテリーＢを平面的に整列させた状態で収納している。収納体１０１は、主として、下側のフレーム１０１ａと上側のカバー１０１ｂとで構成してあり、水密性を有している。各バッテリーＢは、収納体４内に架設した水平な桟１０１ｃにより保持してあり、これにより、上下および隣接するバッテリーＢとの間には空気の流通路が形成されている。
【０００３】
上記バッテリーＢの空調装置は、電気自動車ＥＶのエンジンルームＡから車体下方へ至るフロントダクト１０２と、フロントダクト１０２と収納体１０１の前部とを連通させる吸気側ダクト１０３と、収納体１０１の後部側から車体後方へ延出するリアダクト１０４と、収納体１０１とリアダクト１０４を連結する排気側ダクト１０５を備えている。各ダクト１０２〜１０５は樹脂製である。排気側ダクト１０５は、上下のダクト用部材１０５ａ、１０５ｂにより構成してあり、内部にはリアダクト１０４側へ送風を行うファン１０６が設けてある。
【０００４】
上記の空調装置は、ファン１０６を駆動することにより、フロントダクト１０２および吸気側ダクト１０３を介してエンジンルームＡ内の空気を収納体１０１内に吸引し、その空気を図中の矢印で示す如く各バッテリーＢの周囲に流通させてこれらのバッテリーＢを冷却し、さらに、排気側ダクト１０５およびリアダクト１０４を介して冷却後の空気を外部に排出する。このような空調装置は、例えば特開平８−１６４７５１号公報に記載されている。
【０００５】
【発明が解決しようとする課題】
ところが、上記したような従来のバッテリーの空調装置にあっては、冷却にエンジンルームＡ内の空気を用いることから、吸引空気の温度が高いものとなっており、この点に対して冷却性能の向上が要望されていた。また、従来のバッテリーの空調装置では、複数のダクト１０２〜１０５を使用することから樹脂製大型部品の点数が多く、しかも、各部品の接続部分のシール管理を厳密に行う必要があるので、コスト高になると共に、製造管理に多くの手間がかかるという不具合があり、これらの不具合に対する改善が要望されていた。
【０００６】
【発明の目的】
本発明は、上記従来の状況に鑑みて成されたもので、冷却性能の向上、水密性の確保、コスト低下および製造管理の簡略化等を実現することができるバッテリーの空調装置を提供することを目的としている。
【０００７】
【課題を解決するための手段】
本発明に係わるバッテリーの空調装置は、請求項１として、電気自動車に搭載したバッテリーの空調装置であって、電気自動車のフロア下部に設けたバッテリーの収納体に、外気に対して開閉される吸気用バルブと排気用バルブを備えると共に、収納体の内部に、各バルブの開放に伴う排気用バルブからの排気および各バルブの閉塞に伴う収納体内の空気の循環を行うファンと、排気用バルブとファンの間からバッテリーの収納空間に連通する戻り流路を備えた構成とし、請求項２として、収納体の前部に吸気用バルブを設けると共に、収納体の後部に排気用バルブを設け、収納体の後部内側に、排気用バルブ側に送風を行うファンを備えた構成とし、請求項３として、バッテリーに温度センサを備えると共に、温度センサの検出信号に応じて各バルブの駆動部およびファンの駆動部に駆動信号を出力する空調制御手段を備えた構成とし、請求項４として、空調制御手段が、外部スイッチからの入力信号により各バルブを閉塞する機能を有する手段である構成とし、請求項５として、外部スイッチが、車体外側において水を検出する水センサをである構成とし、請求項６として、外部スイッチが、電気自動車に装備されたワイパスイッチである構成とし、請求項７として、外部スイッチが、手動スイッチである構成とし、請求項８として、空調制御手段が、外部スイッチから信号が入力されている状態において、温度センサの検出信号に応じて電気自動車のモータ駆動制御装置に対して出力制限指令を出力する機能を有する手段である構成とし、請求項９として、電気自動車に搭載したバッテリーの空調装置であって、電気自動車のフロア下部に設けたバッテリーの収納体に、外気に対して開閉される吸気用バルブと排気用バルブを備えると共に、収納体の内部に、排気用バルブの開放に伴って排気用バルブからの排気を行うファンと、外部スイッチからの入力信号により各バルブを閉塞する機能を有する空調制御手段を備えた構成としており、上記の構成を課題を解決するための手段としている。
【０００８】
【発明の作用】
本発明の請求項１に係わるバッテリーの空調装置では、吸気や排気のダクト類を用いない構造となっており、吸気用および排気用のバルブの閉塞により収納体内の水密性が確保される。そして、当該空調装置では、ファンを駆動するとともに吸気用および排気用のバルブを開放すると、吸気用バルブから収納体内に外気を直接吸引し、この外気により収納体内の不均一な温度上昇を抑制し且つバッテリーを冷却するので、例えばエンジンルーム内の空気を用いる場合に比べて冷却性能が著しく高められる。また、冷却後の空気は排気用バルブから排出する。さらに、当該空調装置では、各バルブを閉塞した状態でファンを駆動することにより、ファンを通過した空気が戻り流路を経てバッテリーの収納空間に送られ、収納体内の空気を循環させてバッテリーの冷却をすることも行う。
【０００９】
本発明の請求項２に係わるバッテリーの空調装置では、ファンを駆動するとともに吸気用および排気用のバルブを開放すると、収納体前部の吸気用バルブから外気を直接吸引し、あるいは電気自動車の走行により吸気用バルブから外気を導入し、この外気により収納体内の不均一な温度上昇を抑制してバッテリーを冷却し、収納体後部の排気用バルブから冷却後の空気を排出する。また、各バルブの閉塞により外部に対する水密性が確保される。
【００１０】
本発明の請求項３に係わるバッテリーの空調装置では、空調制御手段により、バッテリーに設けた温度センサの検出信号に応じて各バルブの駆動部およびファンの駆動部に駆動信号を出力し、各バルブの開閉およびファンの駆動・停止を行う。つまり、温度センサによる検出温度の値に応じて、各バルブを閉塞し且つファンを停止させた冷却停止と、各バルブを開放し且つファンを停止させた自然冷却と、各バルブを閉塞し且つファンを駆動する空気循環冷却と、各バルブを開放し且つファンを駆動する外気冷却との切り替えを自動的に行う。
【００１１】
本発明の請求項４に係わるバッテリーの空調装置では、外部スイッチからの入力信号に基づいて空調制御手段により各バルブを閉塞し、収納体への浸水を阻止する。
【００１２】
本発明の請求項５に係わるバッテリーの空調装置では、外部スイッチである水センサからの入力信号に基づいて空調制御手段により各バルブを閉塞し、収納体への浸水を阻止する。つまり、水センサにおいて降雨、洗浄あるいは路上の水はね等による水が検出されると、その検出信号に基づいて各バルブを自動的に閉塞する。
【００１３】
本発明の請求項６に係わるバッテリーの空調装置では、外部スイッチであるワイパスイッチからの入力信号に基づいて空調制御手段により各バルブを閉塞し、収納体への浸水を阻止する。
【００１４】
本発明の請求項７に係わるバッテリーの空調装置では、外部スイッチである手動スイッチからの入力信号に基づいて空調制御手段により各バルブを閉塞し、収納体への浸水を阻止する。つまり、冠水路を走行する場合などに運転者の意思により各バルブの閉塞を行い得る。
【００１５】
本発明の請求項８に係わるバッテリーの空調装置では、外部スイッチが入力されている状態、つまり、雨中走行や冠水路走行により水センサ、ワイパスイッチあるいは手動スイッチ等の外部スイッチが入力状態にあり、これにより各バルブを閉塞しているときに、温度センサの検出温度がバッテリーの充分な冷却を必要とする温度になった場合、各バルブの開放による外気冷却を行えないので、空調制御手段からの出力制限指令で電気自動車のモータ駆動制御装置の出力を制限し、これによりバッテリーを保護する。
本発明の請求項９に係わるバッテリーの空調装置では、吸気や排気のダクト類を用いない構造となっており、吸気用および排気用のバルブの閉塞により収納体内の水密性が確保される。そして、当該空調装置では、ファンを駆動するとともに吸気用および排気用のバルブを開放すると、吸気用バルブから収納体内に外気を直接吸引し、この外気により収納体内の不均一な温度上昇を抑制し且つバッテリーを冷却するので、例えばエンジンルーム内の空気を用いる場合に比べて冷却性能が著しく高められる。また、冷却後の空気は排気用バルブから排出する。さらに、当該空調装置では、外部スイッチからの入力信号に基づいて空調制御手段により各バルブを閉塞し、収納体への浸水を阻止する。
【００１６】
【発明の効果】
本発明の請求項１に係わるバッテリーの空調装置によれば、吸気用バルブにより外気を直接取入れてバッテリーの冷却を行うことができるので、従来のようにエンジンルーム内の空気を用いる冷却に比べてバッテリーの冷却性能を著しく高めることができる。また、吸気用および排気用のバルブを閉塞することにより、収納体内の水密性を確保することが可能となり、簡単な構造でバッテリーを水から保護することができ、しかも、各バルブを閉塞した状態でファンを駆動することにより、収納体内で空気を循環させてバッテリーの冷却を行うこともでき、このとき、ファンと排気用バルブの間からバッテリーの収納空間に連通する戻り流路により、各バルブを閉塞した状態における収納体内の空気の循環性能をより高めることができる。さらに、当該バッテリーの空調装置によれば、従来のような樹脂製大型部品である複数のダクト類が廃止されるので、これによりコストの低下を実現することができると共に、部品点数の削減に伴ってシール管理を厳密に行う部品の接合部分も少なくなるので、製造管理の手間を大幅に減らすことができる。
【００１７】
本発明の請求項２に係わるバッテリーの空調装置によれば、請求項１と同様の効果を得ることができるうえに、収納体の前部に吸気用バルブを設けるとともに収納体の後部に排気用バルブを設けたことにより、ファンによる空気流通作用のみならず電気自動車の走行に伴って収納体内に外気が流通し、冷却性能をより一層高めることができる。
【００１８】
本発明の請求項３に係わるバッテリーの空調装置によれば、請求項１および２と同様の効果を得ることができるうえに、温度センサの検出温度の値に応じて各バルブの開閉およびファンの駆動・停止を行うことができ、各バルブを閉塞し且つファンを停止させた冷却停止と、各バルブを開放し且つファンを停止させた自然冷却と、各バルブを閉塞し且つファンを駆動する空気循環冷却と、各バルブを開放し且つファンを駆動する外気冷却との切り替え、すなわち空調の自動制御を行うことができる。
【００１９】
本発明の請求項４に係わるバッテリーの空調装置によれば、請求項３と同様の効果を得ることができるうえに、外部スイッチからの信号に基づいて空調制御手段により各バルブを閉塞して、収納体への浸水を阻止するので、収納体に浸水が生じるような事態を予め考慮し、これに対処し得る位置に外部スイッチを設けておけば、同様の事態が生じた際に収納体への浸水を阻止することができる。
【００２０】
本発明の請求項５に係わるバッテリーの空調装置によれば、とくに、降雨、洗浄あるいは路上の水はね等による水がかかる状況において、その水を検出した水センサの検出信号に基づいて各バルブを閉塞し、収納体への浸水を阻止することができる。
【００２１】
本発明の請求項６に係わるバッテリーの空調装置によれば、とくに、降雨等によりワイパ装置を使用する状況において、そのワイパスイッチの入力信号に基づいて各バルブを閉塞し、収納体への浸水を阻止することができ、さらに、請求項５に記載の水センサを併用すれば、降雨時等における機能を補完することが可能となり、当該空調装置の信頼性をより一層高めることができる。
【００２２】
本発明の請求項７に係わるバッテリーの空調装置によれば、例えば、冠水路走行などにより収納体に水かかりが予想される状況において、運転者の意思で自在に各バルブを閉塞して収納体への浸水を阻止することができ、収納体に浸水が生じるような事態への広い対応が可能となる。
【００２３】
本発明の請求項８に係わるバッテリーの空調装置によれば、請求項４と同様の効果を得ることができるうえに、温度センサの検出温度がバッテリーの充分な冷却を必要とする温度になったにもかかわらず、雨中走行や冠水路走行により外部スイッチが入力状態にあり、これにより各バルブを開放できない場合に、電気自動車のモータ駆動制御装置の出力を制限し、これによりバッテリーを保護することができ、どの様な状況においてもバッテリーの機能を損失させることのない制御を行うことができる。
本発明の請求項９に係わるバッテリーの空調装置によれば、吸気用バルブにより外気を直接取入れてバッテリーの冷却を行うことができるので、従来のようにエンジンルーム内の空気を用いる冷却に比べてバッテリーの冷却性能を著しく高めることができる。また、吸気用および排気用のバルブを閉塞することにより、収納体内の水密性を確保することが可能となり、簡単な構造でバッテリーを水から保護することができ、しかも、外部スイッチからの信号に基づいて空調制御手段により各バルブを閉塞して、収納体への浸水を阻止するので、収納体に浸水が生じるような事態を予め考慮し、これに対処し得る位置に外部スイッチを設けておけば、同様の事態が生じた際に収納体への浸水を阻止することができる。さらに、当該バッテリーの空調装置によれば、従来のような樹脂製大型部品である複数のダクト類が廃止されるので、これによりコストの低下を実現することができると共に、部品点数の削減に伴ってシール管理を厳密に行う部品の接合部分も少なくなるので、製造管理の手間を大幅に減らすことができる。
【００２４】
【実施例】
以下、図面に基づいて、本発明に係わるバッテリーの空調装置の一実施例を説明する。
【００２５】
図１に一部を示す電気自動車ＥＶは、フロアＦの下部にバッテリーの収納体１を備えており、この収納体１内に複数（例えば乗用車タイプで９６個）のバッテリーＢを平面的に整列させた状態で収納している。収納体１は、主として、下側のフレーム２と上側のカバー３とを水密的に接合し、その内側にバッテリーＢの収納空間４を形成している。各バッテリーＢは、例えばリチウムイオン電池であって、収納体１内に架設した水平な複数の桟５上に保持してあり、これにより、上下および隣接するバッテリーＢとの間には空気の流通路が形成されている。
【００２６】
上記電気自動車ＥＶの空調装置は、収納体１の前部（図１中左端部）の下寄りに吸気口６を形成し、この吸気口６を開閉する吸気用バルブ７を設けると共に、収納体１の後部の上寄りに排気口８を形成し、この排気口８を開閉する排気用バルブ９を設けている。これらの吸排気機構は、収納体１の前部および後部の中央１か所であっても良いし、それ以上の数を設けても良い。
【００２７】
また、収納体１の後部内側には、排気用バルブ９側に送風を行うファン１０が設けてあり、排気用バルブ９とファン１０の間には、隔壁１１により、バッテリーＢの収納空間４の下側に連通する戻り流路１２が形成してある。なお、カバー３の後部には、ファン１０を覆うファンカバー１３が設けてある。このファンカバー１３はカバー３と一体的に設けることも当然可能である。
【００２８】
各バルブ７，９およびファン１０は、アクチュエータやモータ等であるそれぞれの駆動部１４，１５，１６により駆動される。また、排気用バルブ９には、当該排気用バルブ９と連動して戻り流路１２の上端部を開閉する流路開閉部９ａが設けてある。この流路開閉部９ａは、排気用バルブ９が開放位置にあるとき閉塞位置となり、排気用バルブ９が閉塞位置にあるとき開放位置となる。そして、各バルブ７，９およびファン１０の駆動部１４，１５，１６は、空調制御手段１７から出力される駆動信号により作動する。
【００２９】
さらに、バッテリーの空調装置は、個々のバッテリーＢに温度センサ１８を備えると共に、電気自動車ＥＶの車体外部である収納体１の前部において、吸気用バルブ７の上側に、水を検出する水センサ（外部スイッチ）１９が設けてある。温度センサ１８および水センサ１９の検出信号は空調制御手段１７に入力される。
【００３０】
空調制御手段１７は、電気自動車ＥＶのワイパ装置のワイパスイッチ（外部スイッチ）２０と、例えば運転席に設けた手動スイッチ（外部スイッチ）２１からの各信号を入力すると共に、電気自動車ＥＶの原動機を構成するモータ駆動制御装置２２に信号を出力する。手動スイッチ２１は、運転者の意思により自在に操作し得るスイッチである。
【００３１】
空調制御手段１７は、温度センサ１８の検出信号に応じて各バルブ７，９およびファン１０の駆動部１４，１５，１６に駆動信号を出力し、各バルブ７，９の開閉およびファン１０の駆動・停止を行う機能を有すると共に、水センサ１９、ワイパスイッチ２０および手動スイッチ２１のいずれかの信号が入力されたときに各バルブ７，９を閉塞する機能を有し、且つ水センサ１９、ワイパスイッチ２０および手動スイッチ２１のいずれかの信号が入力されている状態において、温度センサ１８の検出信号に応じてモータ駆動制御装置２２に対して出力制限指令を出力する機能を有している。
【００３２】
次に、図２に示す空調制御手段１７の処理フローとともにバッテリーの空調装置の動作を具体的に説明する。なお、この実施例では、バッテリーＢの温度を５５℃以下に維持することを目的としている。
【００３３】
ステップＳ１において処理を開始すると、まずステップＳ２において、個々のバッテリーＢに設けた温度センサ１８による温度Ｔが２０℃未満である否かを判定する。このとき、ステップＳ２で全てのバッテリーＢの温度Ｔが２０℃未満である（Ｙｅｓ）と判定した場合には、ステップＳ３において吸気用バルブ７および排気用バルブ９を閉塞し、さらにステップＳ４においてファン１０を停止（ＯＦＦ）し、ステップＳ５において処理を終了する。また、ステップＳ２でいずれかのバッテリーＢの温度Ｔが２０℃以上である（Ｎｏ）と判定した場合には、ステップＳ６においてその温度Ｔが４０度未満であるか否かを判定する。
【００３４】
ステップＳ６で温度Ｔが４０度未満である（Ｙｅｓ）と判定した場合には、ステップＳ７において吸気用バルブ７および排気用バルブ９を閉塞し、さらにステップＳ８においてファン１０を駆動（ＯＮ）し、ステップＳ９において処理を終了する。これにより、ファン１０で送られた空気が戻り流路１２を経てバッテリーＢの収納空間４に流通し、収納体１内で空気を循環させることにより、収納体１内の不均一な温度上昇を抑制すると共に、バッテリーＢの冷却が行われる。このとき、排気用バルブ９の流路開閉部９ａは開放位置にある。
【００３５】
また、ステップＳ６でバッテリーＢの温度Ｔが４０℃以上である（Ｎｏ）と判定した場合には、ステップＳ１０においてその温度Ｔが５０℃未満であるか否かを判定する。このとき、ステップＳ１０で温度Ｔが５０℃未満である（Ｙｅｓ）と判定した場合には、ステップＳ１１において、水センサ１９、ワイパスイッチ２０および手動スイッチ２１がＯＦＦであるか否かを判定し、全てＯＦＦ（Ｙｅｓ）である場合には、ステップＳ１２において吸気用バルブ７および排気用バルブ９を開放し、さらにステップＳ１３においてファン１０を駆動（ＯＮ）し、ステップＳ１４において処理を終了する。
【００３６】
これにより、ファン１０の作用および電気自動車ＥＶの走行に伴って、吸気用バルブ７により開放された吸気口６から収納体１内に外気を直接導入し、その空気を図２中の矢印で示す如く各バッテリーＢの周囲に流通させて、収納体１内の不均一な温度上昇を抑制するとともにバッテリーＢを冷却し、排気用バルブ９により開放された排気口８から冷却後の空気を外部に排出する。このとき、排気用バルブ９の流路開閉部９ａは閉塞位置にある。
【００３７】
なお、先のステップＳ１１において水センサ１９、ワイパスイッチ２０および手動スイッチ２１のいずれかがＯＮ（Ｎｏ）である場合には、雨中走行や冠水路走行あるいは洗車等により収納体１に浸水が生じる恐れがある状況であるから、ステップＳ１５において吸気用バルブ７および排気用バルブ９を閉塞して収納体１への浸水を阻止し、ステップＳ１６においてファン１０を駆動（ＯＮ）して空気循環によるバッテリーＢの冷却を行うようにし、ステップＳ１７において処理を終了する。
【００３８】
さらに、先のステップＳ１０においてバッテリーＢの温度Ｔが５０度以上である（Ｎｏ）と判定した場合には、ステップＳ１８において水センサ１９、ワイパスイッチ２０および手動スイッチ２１がＯＦＦであるか否かを判定し、全てＯＦＦ（Ｙｅｓ）である場合には、ステップＳ１９において吸気用バルブ７および排気用バルブ９を開放し、さらにステップＳ１２０においてファン１０を駆動（ＯＮ）して、外気によるバッテリーＢの冷却を行うようにし、ステップＳ２１において処理を終了する。
【００３９】
また、ステップＳ１８において水センサ１９、ワイパスイッチ２０および手動スイッチ２１のいずれかがＯＮ（Ｎｏ）である場合には、温度センサ１８による検出温度Ｔが５０℃以上であるにもかかわらず吸気用および排気用のバルブ７，９を開放できない状況にあるので、ステップＳ２２において各バルブ７，９を閉塞し、次いでステップＳ２３においてファン１０を駆動（ＯＮ）して、空気循環によるバッテリーＢの冷却を行うようにし、さらに、ステップＳ２４において出力制限指令を出力して、電気自動車ＥＶの原動機を構成するモータ駆動制御装置２２の出力を制限するようにし、ステップＳ２５において処理を終了する。これにより、各バルブ７，９を閉塞した状態でバッテリーＢの温度が上昇した場合でも、モータ駆動制御装置２２の出力制限と空気循環冷却により、バッテリーＢを保護し得ることとなる。
【００４０】
このように、上記実施例のバッテリーの空調装置では、例えば従来の空調装置（図３参照）のような大型のダクト類を用いないので、部品点数が少なく、部品点数の削減によりシール管理が重要である部品の接合部分も少なくなっており、これにより、コスト的にもまた製造管理的にも有利なものとなっている。また、各バルブ７，９の閉塞により水密性を確保し得ると共に．外気を直接導入するので、従来のようにエンジンルーム内の空気を用いる場合に比べて冷却性能が著しく高いものとなっており、温度センサ１８の検出信号に応じて、冷却停止と、収納体内での空気循環による冷却と、外気導入による冷却とを切り替える空調の自動制御を実現している。
【００４１】
また、空調制御手段１７において、外部スイッチ（１９，２０，２１）からの信号入力、およびモータ駆動制御装置２０への出力制限指令の出力を行うことにより、どのような状況においてもバッテリーＢの機能を損失させることのない制御が行われることとなる。
【００４２】
なお、上記実施例では、空調制御手段１７により、冷却停止、空気循環冷却および外気導入冷却を切り替えるとしたが、例えば吸気口６の大きさや数によっては、各バルブ７，９を閉塞するとともにファン１０を停止し、電気自動車ＥＶの走行に伴う外気導入あるいは自然冷却を行うことも可能である。
【００４３】
また、上記実施例では、収納体１の前部に水センサ１９を設けた場合を例示したが、このほかフロントバンパーなどに水センサを設けることも良く、さらに、水センサとして自動ワイパ装置に使用する雨滴センサを用いることもできる。
【図面の簡単な説明】
【図１】本発明に係わるバッテリーの空調装置の一実施例を示す断面説明図である。
【図２】空調制御手段の処理過程を説明するフローチャートである。
【図３】従来におけるバッテリーの空調装置の一例を示す断面説明図である。
【符号の説明】
Ｂ      バッテリー
ＥＶ    電気自動車
Ｆ      フロア
１      収納体
４      収納空間
７      吸気用バルブ
９      排気用バルブ
１０    ファン
１２    戻り流路
１７    空調制御手段
１８    温度センサ
１９    水センサ（外部スイッチ）
２０    ワイパスイッチ（外部スイッチ）
２１    手動スイッチ（外部スイッチ）
２２    モータ駆動制御装置
【図１】
0003755557.tif 000002
【図２】
0003755557.tif 000003
【図３】
0003755557.tif 000004